(57)【要約】      （修正有）【課題】排出弁の分解および再組立てを容易として、内部の点検や清掃を容易に行う。【解決手段】弁体を回転させることによりタンク２０からの流体の排出を制御する排出弁であって、前記タンクに取り付けられる第１ボディ３４と、前記タンクに取り付けられた状態の前記第１ボディに対して着脱可能な第２ボディ３６と、前記第１ボディと前記第２ボディとの間に回転可能かつ取り外し可能に保持され、貫通形成された弁体流路を備える弁体３２とを備える。【選択図】図１
2013194788.tif 000002
【特許請求の範囲】
【請求項１】
弁体を回転させることによりタンクからの流体の排出を制御する排出弁であって、
前記タンクに取り付けられる第１ボディと、
前記タンクに取り付けられた状態の前記第１ボディに対して着脱可能な第２ボディと、
前記第１ボディと前記第２ボディとの間に回転可能かつ取り外し可能に保持され、貫通形成された弁体流路を備える弁体と、
を備えることを特徴とする排出弁。
【請求項２】
前記弁体は略球状に形成され、
この弁体の上流側に配置された第１弁座が前記第１ボディに備えられているとともに、前記弁体の下流側に配置された第２弁座が前記第２ボディに備えられ、これら一対の弁座が離間して前記弁体を回転可能に保持しており、
前記第１弁座と前記第２弁座との間を埋めて前記弁体の表面に沿う略球状面が、前記第１ボディおよび前記第２ボディによって形成されていることを特徴とする請求項１に記載の排出弁。
【請求項３】
操作部を有し、この操作部によって開閉されるクランプ部が備えられるとともに、
前記第１ボディおよび前記第２ボディのそれぞれに、互いに当接して前記クランプ部によって接合される接合フランジが設けられていることを特徴とする請求項１または２に記載の排出弁。
【請求項４】
請求項１から３のいずれか１項に記載の排出弁を備えることを特徴とする排出弁付タンク。
【発明の詳細な説明】
【技術分野】
【０００１】
本発明は、流体を保持するとともに、排出弁によって流体の流通を制御可能な排出弁付タンクおよびこれに備えられる排出弁に関する。
【背景技術】
【０００２】
液体等の流体を保持するタンクにおいて流体の排出を制御できる開閉弁として、たとえばボールバルブが利用されている。ボールバルブは、タンクの排出口や流体の流れる配管の中途等に設けられ、弁体流路が貫通形成された球状の弁体を回転させることにより、流路を連通または閉鎖させて開閉し、流体の流通を制御するバルブである。
【０００３】
このようなボールバルブにおいては、流体を流通させることにより弁体の周辺に流体が残留してしまう場合がある。このため、たとえば流体の種類を変更した際には、ボールバルブに残留していた前の流体が混入してしまうおそれがある。このような流体の混入等を防止するため、ボールバルブ内部の清掃や点検を容易にすることが求められている。
【０００４】
たとえば、特許文献１に記載されたボールバルブは、中空状のバルブボディに球状弁体を収納し、このバルブボディの両側に配管接続部がボルトによって接合されている。したがって、このボールバルブでは、ボルトを取り外すことにより各配管接続部の間のバルブボディを取り外すことができるので、弁体および弁座等、内部のメンテナンス等を容易に行うことが可能である。
【先行技術文献】
【特許文献】
【０００５】
【特許文献１】実開平５−５９０６１号公報
【発明の概要】
【発明が解決しようとする課題】
【０００６】
しかしながら、特許文献１に記載されたボールバルブでは、両側の配管接続部とバルブボディを接合するボルトをすべて取り外す必要があり、取り付けおよび取り外しに手間がかかる。また、バルブボディは弁体を操作するハンドルなどの多数の部材を備えているため構造が複雑であり、再組立てに手間がかかるという問題がある。
【０００７】
本発明は、このような事情に鑑みてなされたもので、排出弁付タンクにおいて、排出弁の分解および再組立てを容易として、内部の点検や清掃を容易に行うことを目的とする。
【課題を解決するための手段】
【０００８】
本発明の排出弁は、弁体を回転させることによりタンクからの流体の排出を制御する排出弁であって、前記タンクに取り付けられる第１ボディと、前記タンクに取り付けられた状態の前記第１ボディに対して着脱可能な第２ボディと、前記第１ボディと前記第２ボディとの間に回転可能かつ取り外し可能に保持され、貫通形成された弁体流路を備える弁体とを備える。
【０００９】
本発明の排出弁によれば、タンクに取り付けられた第１ボディと、この第１ボディに組み付けられた第２ボディとによって弁体を保持するので、第１ボディをタンクに取り付けたまま、第２ボディを第１ボディから取り外すだけで弁体も取り外すことができ、排出弁内部の清掃や点検を容易に行うことができる。
【００１０】
この排出弁において、前記弁体は略球状に形成され、この弁体の上流側に配置された第１弁座が前記第１ボディに備えられているとともに、前記弁体の下流側に配置された第２弁座が前記第２ボディに備えられ、これら一対の弁座が離間して前記弁体を回転可能に保持しており、前記第１弁座と前記第２弁座との間を埋めて前記弁体の表面に沿う略球状面が、前記第１ボディおよび前記第２ボディによって形成されていることが好ましい。
【００１１】
この場合、弁座間の略球状面と弁体の表面との隙間が小さいので、流体の付着が抑えられ、清掃を容易に行うことができる。
【００１２】
また、この排出弁において、操作部を有し、この操作部によって開閉されるクランプ部が備えられるとともに、前記第１ボディおよび前記第２ボディのそれぞれに、互いに当接して前記クランプ部によって接合される接合フランジが設けられていることが好ましい。
【００１３】
この場合、操作部によって開閉可能なクランプ部によって第１ボディと第２ボディとが接合されるので、容易に第２ボディを取り外すことができる。
【００１４】
本発明の排出弁付タンクは、上述の排出弁を備える。たとえばタンクが大型で据付型の場合には、排出弁の着脱や分解、再組立等の作業がより煩雑となるおそれがある。しかしながら、本発明に係る上述の排出弁は、第１ボディがタンクに取り付けられた状態もまま、第２ボディおよび弁体を容易に着脱できるので、排出弁内部の点検や清掃が容易である。
【発明の効果】
【００１５】
本発明によれば、第１ボディをタンクに取り付けたまま、第２ボディを第１ボディから取り外すだけで弁体も取り外すことができるので、分解および再組立てが容易であり、内部の点検や清掃を容易に行うことができる排出弁および排出弁付タンクを提供することができる。
【図面の簡単な説明】
【００１６】
【図１】本発明の排出弁および排出弁付タンクを示す断面図である。
【図２】図１に示す排出弁を構成するクランプ部を示す平面図である。
【図３】図１に示す排出弁において、排出弁が分解された状態を示す断面図である。
【発明を実施するための形態】
【００１７】
以下、本発明に係る排出弁および排出弁付タンクの実施形態について説明する。図１に示すように、本実施形態の排出弁付タンク１０は、流体を保持するタンク２０と、このタンク２０から流体を排出するための排出弁３０とを備える。
【００１８】
排出弁３０は、タンク２０に取り付けられる第１ボディ３４と、タンク２０に取り付けられた状態の第１ボディ３４に対して着脱可能な第２ボディ３６と、第１ボディ３４と第２ボディ３６との間に回転可能かつ取り外し可能に保持され、貫通形成された弁体流路３２ａを備える略球状の弁体３２と、第１ボディ３４に取り付けられ、弁体３２に係合してこの弁体３２を回転させるステム３８と、第１ボディ３４および第２ボディ３６を接合するクランプ部４０とを備える。
【００１９】
第１ボディ３４は、タンク２０に取り付けられ、弁体３２の弁体流路３２ａの上流側に連通する上流側流路３４ａが設けられているとともに、一方の弁座（第１弁座３１Ａ）を備える。この第１ボディ３４は、たとえばステンレス鋼により形成され、タンク２０に対する取り付け用の取付フランジ３４Ａが設けられており、タンク２０のフランジ２１に対してボルトＢにより取り付けられている。また、この第１ボディ３４の下端部には、第２ボディ３６を接合させる接合フランジ３４Ｂが設けられている。
【００２０】
第１ボディ３４の内部には、タンク２０の内部に連通する上流側流路３４ａと、この上流側流路３４ａの下流側に連通する弁体収容部３４ｂと、弁体収容部３４ｂの下流側に連通する円筒状嵌合面３４ｃとが設けられている。また、弁体収容部３４ｂの上流側端部には、樹脂製の第１弁座３１Ａが取り付けられている。この第１弁座３１Ａの下流側の弁体収容部３４ｂは、弁体３２の上流側表面に沿う略半球状部と、この略半球状部の最大径部と同じ内径を有し、弁体３２を通過させることができる円筒部とで構成されている。
【００２１】
第２ボディ３６は、弁体流路３２ａの下流側に連通する下流側流路３６ａが設けられているとともに、他方の弁座（第２弁座３１Ｂ）を備え、第１ボディ３４に組み付けられている。この第２ボディ３６は、たとえばステンレス鋼により形成され、第１ボディ３４の円筒状嵌合面３４ｃに嵌め込まれる筒状の接続部３６Ａと、第１ボディ３４の接合フランジ３４Ｂに接合される接合フランジ３６Ｂとが設けられている。
【００２２】
第２ボディ３６は、接続部３６Ａを第１ボディ３４の円筒状嵌合面３４ｃに嵌合させた状態で、接合フランジ３６Ｂを第１ボディ３４の接合フランジ３４Ｂに当接させ、これら接合フランジ３４Ｂ，３６Ｂがクランプ部４０によって締結されることにより、第１ボディ３４に対して接合される。
【００２３】
第１ボディ３４に接合された第２ボディ３６の内部には、第１ボディ３４の弁体収容部３４ｂの下流側に連通する下流側流路３６ａが設けられている。また、この下流側流路３６ａの上流側端部には、樹脂製の第２弁座３１Ｂが取り付けられている。この第２弁座３１Ｂの上流側には、弁体３２の下流側表面に沿う略円錐面部３６ｂが設けられている。
【００２４】
第１ボディ３４および第２ボディ３６を締結するクランプ部４０は、図２に示すように、接合フランジ３４Ｂ，３６Ｂの外周端部を包む略Ｃ字状に形成された一対の固定部４１Ａ，４１Ｂと、２つの固定部４１Ａ，４１Ｂを回動可能に連結する連結部４２と、固定部４１Ａ，４１Ｂの開閉を操作するための操作部４３とを備える。図２に２点鎖線で示すように、操作部４３による固定を解除して固定部４１Ａ，４１Ｂを開くことにより、クランプ部４０を第１ボディ３４および第２ボディ３６から取り外すことができる。
【００２５】
操作部４３は、一方の固定部４１Ａに対して回動可能に取り付けられており、蝶ねじ４４によって他方の固定部４１Ｂを固定部４１Ａに対して押し付けることによりこれら固定部４１Ａ，４１Ｂの間隔を狭め、接合フランジ３４Ｂ，３６Ｂの外周端部を包むように固定部４１Ａ，４１Ｂを固定させることができる。したがって、このクランプ部４０によれば、操作部４３を操作するだけで、第１ボディ３４と第２ボディ３６とを容易に接合し、また接合を解除して第２ボディ３６を第１ボディ３４から取り外すことができる。
【００２６】
このクランプ部４０によって第１ボディ３４に第２ボディ３６が取り付けられた状態において、第１ボディ３４に取り付けられた第１弁座３１Ａと第２ボディ３６に取り付けられた第２弁座３１Ｂとの間に、これら弁座間を埋めて弁体３２の表面に沿う略球状面が形成される。すなわち、第１ボディ３４の弁体収容部３４ｂの略半球状部および円筒部と、第２ボディ３６の略円錐面部３６ｂとによって、弁体３２の表面に沿う略球状面が形成されている。この略球状面と弁体３２との隙間が小さいことにより、タンク２０から流れる流体の付着が抑えられる。
【００２７】
弁体３２は、一対の弁座（第１弁座３１Ａ，第２弁座３１Ｂ）の間で回転可能に保持される。この弁体３２は、たとえばステンレス鋼により略球状に形成され、第１弁座３１Ａおよび第２弁座３１Ｂの間に配置され、互いに接合された状態の第１ボディ３４および第２ボディ３６の内部に収容されている。
【００２８】
弁体３２は、中心を貫通する弁体流路３２ａが設けられているとともに、ステム３８のキー部に係合するキー溝３２ｂが外周面に設けられている。キー溝３２ｂに係合状態のステム３８が回転されることにより、弁体３２はステム３８の軸中心に回転し、弁体流路３２ａが上流側流路３４ａおよび下流側流路３６ａに連通した状態では流体の流通を可能とし、この状態から９０°回転した状態では流体の流通を遮断することができる。
【００２９】
以上のように構成された排出弁３０を備える排出弁付タンク１０は、図１に示す使用状態では、ステム３８の操作によって排出弁３０が開閉され、この排出弁３０を通じてタンク２０内の流体を排出することができる。一方、図２に示すように、クランプ部４０を取り外すとともにステム３８と弁体３２との係合を解除するだけで、第１ボディ３４から第２ボディ３６および弁体３２が取り外されるので、排出弁３０の内部を容易に開放し、排出弁３０の内部の清掃や点検を行うことができる。また、分解された状態の排出弁３０は、弁体３２を内蔵させて第２ボディ３６を第１ボディ３４に対して接合し、クランプ部４０で固定するだけで容易に再組み立てできる。
【００３０】
なお、本発明は前記実施形態の構成のものに限定されるものではなく、細部構成においては、本発明の趣旨を逸脱しない範囲において種々の変更を加えることが可能である。たとえば、第１ボディに対して第２ボディを接合固定するクランプ部は、容易に着脱操作が可能であることが好ましく、前記実施形態に限定されず種々の構成を採用することができる。また、タンクについては特に限定されず、流体収容用の保持容器、流体攪拌用の容器などであってもよい。
【００３１】
ステムは、前記実施形態では第１ボディに取り付けられているが、第２ボディに取り付けられてもよい。この場合、第２ボディを第１ボディから取り外すことにより、ステム周辺の清掃や点検を容易に行うことができる。
【符号の説明】
【００３２】
１０  排出弁付タンク
２０  タンク
２１  フランジ
３０  排出弁
３１Ａ  第１弁座
３１Ｂ  第２弁座
３２  弁体
３２ａ  弁体流路
３２ｂ  キー溝
３４  第１ボディ
３４ａ  上流側流路
３４ｂ  弁体収容部
３４ｃ  円筒状嵌合面
３４Ａ  取付フランジ
３４Ｂ  接合フランジ
３６  第２ボディ
３６ａ  下流側流路
３６ｂ  略円錐面部（略球状面）
３６Ａ  接続部
３６Ｂ  接合フランジ
３８  ステム
４０  クランプ部
４１Ａ，４１Ｂ  固定部
４２  連結部
４３  操作部
４４  蝶ねじ
Ｂ  ボルト
【図１】
2013194788.tif 000003
【図２】
2013194788.tif 000004
【図３】
2013194788.tif 000005